(57)【要約】      （修正有）【課題】水耕野菜栽培装置の改良を提供する。【解決手段】水耕野菜栽培装置の改良は、主に複数の溝体Ａと、該溝体に設置され、吸収材が設けられる複数の栽培フレームＢと、溝体上方に設置される蓋体Ｃとを含む。このうち、該溝体に、内から外に適当な間隔を開けて配列する突点１１が設けられる。該栽培フレームは相互に接続され、相互に引き付けられる複数の大、小の制動アーム３、３ａ、３ｂ、３ｃが設けられる。該蓋体にリブ４が設けられ、リブに溝体の突点と対応する切削溝４１が設けられる。溝体に培養液を入れ、各栽培フレームの吸収材に野菜の種を置き、吸収材が培養液を吸収することにより、水耕野菜の栽培、作付けが構成される。作付け日に基づいて栽培フレームの制動アームを引き動かすと、溝体の突点が制動アームを持ち上げることにより、制動アームが離れ、さらには各栽培フレーム間の距離が開き、水耕野菜の成長に役立つ。【選択図】図１
0003202903.tif 000002
【実用新案登録請求の範囲】
【請求項１】
水耕野菜栽培装置の改良であって、
培養液が入れられ、上縁に水平面が設けられ、水平面に内から外に適当な間隔を開けて配列する突点が設けられる溝体と、
受け部、および異なる大きさの複数の制動アームを含み、各制動アームの側面に長切削孔および定位柱がそれぞれ設けられ、定位柱を長切削孔に嵌着することにより、各制動アームを接近および離すことができる複数の栽培フレームと、
溝体の上方に設けられ、内縁に複数のリブが設けられ、該リブが栽培フレームの制動アームの両側面に対応し、リブに溝体の突点に対応する切削溝がそれぞれ設けられる蓋体と、を含み、
複数の栽培フレームを溝体に設置し、栽培フレームの受け部に吸収材を置き、さらに溝体に培養液を入れて、栽培フレームの吸収材に野菜の種を置き、吸収材が培養液を吸収することにより、水耕野菜の栽培、作付けが構成され、作付け日に基づいて栽培フレームの制動アームを引き動かすと、溝体の突点が制動アームを持ち上げることにより、制動アームが一つ一つ離れ、さらには各栽培フレーム間の距離が開き、水耕野菜の成長に役立つ、水耕野菜栽培装置の改良。
【請求項２】
栽培フレームの制動アームがおおよそワ冠状を呈し、各制動アーム側面の長切削孔は垂直部および水平部を含み、定位柱が長切削孔の垂直部に嵌着されるとき、各制動アームは接近状態であり、定位柱が長切削孔の水平部に脱落するとき、定位柱が長切削孔に沿ってスライドすることにより、相互に引き付ける作用を構成することができ、各制動アームを離すことができる、請求項１に記載の水耕野菜栽培装置の改良。
【請求項３】
栽培フレームは受け部の後縁にフックが設けられ、１つ目の制動アームの前縁に留め部が設けられ、複数の栽培フレームがフックおよび留め部を係止することにより一列に連結される、請求項１に記載の水耕野菜栽培装置の改良。
【請求項４】
栽培フレームの各制動アームの前端に適当な斜度が設けられ、斜度の端が突点に接触すると、上に持ち上がることができ、制動アームが上に跳ね上がり、さらには次の制動アームの定位柱が長切削孔の水平部に脱落し、水平部に沿って移動し、制動アームおよび次の制動アームが一定距離離れる、請求項１に記載の水耕野菜栽培装置の改良。
【考案の詳細な説明】
【技術分野】
【０００１】
本考案は水耕野菜栽培装置の改良に関し、特に水耕野菜の栽培をより便利でより効率的にした水耕野菜栽培装置を指す。
【背景技術】
【０００２】
一般の水耕野菜を栽培するとき、種を栽培設備に置いた後、培養液を吸収させることにより、水耕野菜をゆっくりと成長させる。ただ、従来の水耕野菜は成長過程において、作付け日に基づいてこれを移植する必要があり（例えば１日目から３日目までは第１部分、４日目から６日目までは第２部分に移し、７日目から９日目までは第３部分に移し…）、作付け日を記録することにより、水耕野菜が最も良好な成長状態に達したときに収穫することができる。このような従来の栽培方式は、面倒で、費用と時間がかかるだけでなく、移植するときに作付け日を確実に記録する必要があり、そうでなければ栽培の成果に影響を及ぼす。出願人はこのことを考慮して、以前に水耕野菜栽培装置を設計し、台湾実用新案第４９４４８１号の特許権を授与されている。しかし、絶え間ない研究、実験により、再改良に成功しており、栽培過程で水耕野菜の成長空間を調整するのに役立つ。水耕野菜の栽培をより便利でより効率的にすることを希望する。
【先行技術文献】
【特許文献】
【０００３】
【特許文献１】台湾実用新案第４９４４８１号
【考案の概要】
【考案が解決しようとする課題】
【０００４】
本考案の主な目的は、水耕野菜栽培装置の改良を提供することであり、水耕野菜の栽培過程において、作付け日に基づいて水耕野菜の成長空間を調整することができ、さらには水耕野菜の栽培をより便利でより効率的にする。
【０００５】
前記水耕野菜栽培装置の改良は、複数の溝体と、該溝体に設置され、吸収材が設けられる複数の栽培フレームと、溝体上方に設置される蓋体とを含む。このうち、該溝体に、内から外に適当な間隔を開けて配列する突点が設けられる。該栽培フレームは相互に接続され、相互に引き付けられる複数の大、小の制動アームが設けられる。該蓋体にリブが設けられ、リブに溝体の突点と対応する切削溝が設けられる。溝体に培養液を入れ、各栽培フレームの吸収材に野菜の種を置き、吸収材が培養液を吸収することにより、水耕野菜の栽培、作付けが構成される。作付け日に基づいて栽培フレームの制動アームを引き動かすと、溝体の突点が制動アームを持ち上げることにより、制動アームが離れ、さらには各栽培フレーム間の距離が開き、水耕野菜の成長に役立つ。
【０００６】
前記水耕野菜栽培装置の改良において、栽培フレームに設けられる大、小の制動アームはおおよそワ冠状を呈し、側面に長切削孔および定位柱がそれぞれ設けられる。定位柱および長切削孔の嵌着により、制動アームを離すことができる。
【０００７】
前記水耕野菜栽培装置の改良において、栽培フレームは受け部の後縁にフックが設けられ、１つ目の制動アームの前縁に留め部が設けられる。複数の栽培フレームは、フックおよび留め部を係止することにより一列に連結される。
【図面の簡単な説明】
【０００８】
【図１】図１は、本考案の立体分解図である。
【図２】図２は、本考案の栽培フレームの立体図である。
【図３】図３は、本考案の栽培フレームの立体分解図である。
【図４】図４は、本考案の使用状態図である。
【図５】図５は、本考案の栽培フレームの動作状態図である。
【図６】図６は、本考案の栽培フレームのもう１つの動作状態図である。
【図７】図７は、本考案の栽培フレームの別の動作状態図である。
【考案を実施するための形態】
【実施例】
【０００９】
図１および図２、さらに図３を同時に合わせて参照されたい。図１、図２、図３は、本考案の立体分解図および栽培フレームの立体図と、栽培フレームの立体分解図である。図に示すように、本考案は複数の溝体Ａと、該溝体Ａに設置される栽培フレームＢと、溝体Ａの上方に設置される蓋体Ｃとを含む。このうち、該溝体Ａの上縁に水平面１が設けられ、水平面に内から外に適当な間隔を開けて配列する突点１１が設けられる。
【００１０】
該栽培フレームＢは、受け部２と、異なる大、小の複数の制動アーム３、３ａ、３ｂ、３ｃとを含む。このうち、該受け部２は側面に定位柱２１が設けられ、さらに後縁にフック２２が設けられる。該制動アーム３、３ａ、３ｂ、３ｃはおおよそワ冠状を呈し、その前端は適当な斜度が設けられ、このうちの制動アーム３（第１の制動アーム）の前縁に留め部３１が設けられる。各制動アーム３、３ａ、３ｂ、３ｃの側面に、垂直部３２１、３２１ａ、３２１ｂ、３２１ｃおよび水平部３２２、３２２ａ、３２２ｂ、３２２ｃを含む長切削孔３２、３２ａ、３２ｂ、３２ｃと、定位柱３３ａ、３３ｂ、３３ｃとがそれぞれ設けられる。受け部２を定位柱２１によって制動アーム３ｃの長切削孔３２ｃに嵌着させ、さらに制動アーム３ａ、３ｂ、３ｃを定位柱３３ａ、３３ｂ、３３ｃによって制動アーム３、３ａ、３ｂの長切削孔３２、３２ａ、３２ｂに嵌着させる。普通の状態では、定位柱３３ａ、３３ｂ、３３ｃは、長切削孔３２、３２ａ、３２ｂの垂直部３２１、３２１ａ、３２１ｂに嵌着され、各制動アーム３、３ａ、３ｂ、３ｃは接近状態である。定位柱３３ａ、３３ｂ、３３ｃが長切削孔３２、３２ａ、３２ｂの水平部３２２、３２２ａ、３２２ｃに脱落するとき、定位柱３３ａ、３３ｂ、３３ｃが長切削孔３２、３２ａ、３２ｂに沿ってスライドすることにより、相互に引き付ける作用を構成することができ、各制動アーム３、３ａ、３ｂ、３ｃを離すことができる。
【００１１】
該蓋体Ｃは、溝体Ａの上方に設けられ、その内縁に制動アーム３、３ａ、３ｂ、３ｃの両側面に対応するリブ４が設けられ、リブ４に溝体Ａの突点１１と対応する切削溝４１がそれぞれ設けられる。
【００１２】
前記部材の組合せにより、水耕野菜栽培装置の改良を構成する。複数の栽培フレームＢを溝体Ａに設置し、受け部２のフック２２と、制動アーム３の留め部３１とを係止することにより、一列に連結する。栽培フレームＢの受け部２に吸収材を置き、さらに溝体Ａに培養液を入れて、栽培フレームＢの吸収材に野菜の種を置く。吸収材が培養液を吸収することにより、水耕野菜の栽培、作付けが構成される。作付け日に基づいて栽培フレームＢの制動アーム３、３ａ、３ｂ、３ｃを引き動かすと、溝体Ａの突点１１が制動アーム３、３ａ、３ｂ、３ｃを持ち上げることにより、制動アーム３、３ａ、３ｂ、３ｃを一つ一つ離し、さらには各栽培フレームＢ間の距離が開き、水耕野菜の成長に役立つ。
【００１３】
図４を参照されたい。図４は、本考案の使用状態図である。図に示すように、本考案を使用するとき、列に連結した複数の栽培フレームＢを溝体Ａに設置し、栽培フレームＢの受け部２に吸収材５を置き、さらに溝体Ａに培養液Ｄを入れて、栽培フレームＢの受け部２の吸収材５に野菜の種６を置く。栽培フレームＢの受け部２の吸収材５が培養液Ｄを吸収することにより、野菜の種６に養分を供給し、野菜の種６は日ごとに水耕野菜に成長する。
【００１４】
図５を参照されたい。図５は、本考案の栽培フレームの動作状態図である。図１と合わせると、図に示すように、本考案は栽培するとき、列に連結した複数の栽培フレームＢを溝体Ａに設置し、栽培フレームＢの受け部２に吸収材５を置き、さらに溝体Ａに培養液Ｄを入れて、栽培フレームＢの吸収材５に野菜の種６を置く。その後、栽培過程において、栽培フレームＢを溝体Ａのもう一端に引き動かし、栽培フレームＢを溝体Ａの末端まで進めると、成長した水耕野菜を収穫することができ、作付け過程で水耕野菜を移植する必要はない。これにより、水耕野菜の栽培をより便利により効率的にする。
【００１５】
図６を参照されたい。図６は、本考案の栽培フレームのもう１つの動作状態図である。図１と合わせると、図に示すように、本考案を使用するとき、連結して並んだ栽培フレームＢは適当な間隔を形成する。本実施例において、前の栽培フレームＢを溝体Ａに設置した数日後、後の栽培フレームＢを溝体Ａにさらに設置することができ（例：前の組の栽培フレームＢを設置してから３日目）、さらに前の栽培フレームＢと接続し、水耕野菜の成長空間を提供する。水耕野菜が日ごとに成長すると、成長空間に限りがあるため、栽培フレームＢを順番に溝体Ａのもう一端に移動させるとき、制動アーム３の側面の底縁は、溝体Ａの水平面に設けられる突点１１に接触する。突点１１が持ち上げることにより、上方の蓋体Ｃのリブ４に設けられる切削溝４１が組み合わさって、制動アーム３が上に跳ね上がり（制動アーム３の前端に適当な斜度が設けられるため、斜度の端部が突点１１に接触するとき、上に持ち上がることができ、制動アーム３が上に跳ね上がる）、さらには制動アーム３ａの定位柱３３ａが制動アーム３の長切削孔３２の水平部３２２に脱落し、制動アーム３と次の制動アーム３ａとが一定距離離れる。
【００１６】
図７を参照されたい。図７は、本考案の栽培フレームの別の動作状態図である。図１と合わせると、図に示すように、本考案は図６のように制動アーム３の底縁が突点１１を超えると、水平移動状態を回復する。このうちの制動アーム３および制動アーム３ａの間は一定距離離れ、水耕野菜の成長空間が増加する。本考案の溝体Ａの水平面１の突点１１、および蓋体Ｃの切削溝４１は、適当な間隔を開けて配列し、栽培フレームＢを順番に溝体Ａのもう一端に移動させるとき、このうちの制動アーム３ａ、３ｂ、３ｃの底縁は、同様に異なる位置の突点１１に接触し、各制動アーム３、３ａ、３ｂ、３ｃが一つ一つ離れ、さらには水耕野菜の成長空間が一つ一つ増加する。一定の作付け日の後、溝体Ａの末端から最も先に作付けした水耕野菜を収穫することができ、相当便利である。従来の作付け方式のような、水耕野菜を異なる作付け日に基づいて絶えず移植する必要はなく、労働力の節約になる以外に、作付けをより効率的にする。
【００１７】
前記実施例は、本考案の好ましい実施方式を説明したに過ぎず、本考案の範囲を制限しない。少しの修飾、変更を行っても、本考案の意義は失われず、本考案の主旨の範疇を逸脱しない。
【００１８】
まとめると、本考案は培養液を入れる溝体を用い、溝体に設置され、吸収材が設けられ、さらに離すことができる栽培フレームを組み合わせて、水耕野菜栽培装置の改良を構成する。水耕野菜の栽培をより便利でより効率的にする。実用的な設計であり、新規性を有する考案に確かに属するため、法に基づいて特許出願を行う。貴局の審査により、一日も早く特許が授与されることを希望する。
【符号の説明】
【００１９】
Ａ  溝体
Ｂ  栽培フレーム
Ｃ  蓋体
Ｄ  培養液
１  水平面
１１  突点
２  受け部
２１  定位柱
２２  フック
３  制動アーム
３ａ  制動アーム
３ｂ  制動アーム
３ｃ  制動アーム
３１  留め部
３２  長切削孔
３２ａ  長切削孔
３２ｂ  長切削孔
３２ｃ  長切削孔
３２１  垂直部
３２１ａ  垂直部
３２１ｂ  垂直部
３２１ｃ  垂直部
３２２  水平部
３２２ａ  水平部
３２２ｂ  水平部
３２２ｃ  水平部
３３ａ  定位柱
３３ｂ  定位柱
３３ｃ  定位柱
４  リブ
４１  切削溝
５  吸収材
６  種
【図１】
0003202903.tif 000003
【図２】
0003202903.tif 000004
【図３】
0003202903.tif 000005
【図４】
0003202903.tif 000006
【図５】
0003202903.tif 000007
【図６】
0003202903.tif 000008
【図７】
0003202903.tif 000009